(57)【要約】【課題】電子機器のバッテリー収容室の薄型化を実現する上で有利なバッテリーおよび電子機器を提供する。【解決手段】バッテリー２のケース１０は扁平な矩形板状に形成され、２つの側面１０Ｅには、幅方向外方に突出しつつ長さ方向に延在する係合壁１００２が設けられ、係合壁１００２は、側面１０Ｅの厚さ方向の中心部に対して上面１０Ｃまたは下面１０Ｄ寄りの各側面１０Ｅ箇所に設けられている。前面１０Ａの厚さ方向におけるコネクタ部３０の位置は、左右の側面１０Ｅの係合壁１００２が上方または下方に臨む面を基準として決定されており、本実施例では、コネクタ部３０の厚さ方向における位置の基準となる面は、係合壁１００２が下方に臨む面１００２Ａである。【選択図】        図５
2006179217.tif 000002
【特許請求の範囲】
【請求項１】
厚さ方向の両端に位置する上面および下面と、前記厚さよりも大きい寸法の幅方向の両端に位置する左右の側面と、前記厚さよりも大きい寸法の前後方向の両端に位置する前面および後面とを有する扁平な矩形板状のケースと、
前記ケースの内部に収容された電池セルと、
前記ケースに設けられたコネクタ部とを備え、
前記コネクタ部は前記ケースの前面に前方に突出して設けられ、
前記ケースの左右の側面の前記厚さ方向の中間部に、前記幅方向外方に突出しつつ前記長さ方向に延在する壁が設けられ、
前記コネクタ部の前記厚さ方向における位置は、前記壁が上方または下方に臨む面を基準として決定されている、
ことを特徴とするバッテリー。
【請求項２】
前記コネクタ部の前記厚さ方向における位置の基準となる面は、前記壁が下方に臨む面であることを特徴とする請求項１記載のバッテリー。
【請求項３】
前記壁は、前記ケースの左右の側面の厚さ方向の中心に対して前記ケースの上面または下面寄りの箇所に設けられていることを特徴とする請求項１記載のバッテリー。
【請求項４】
前記コネクタ部の前記厚さ方向における位置の基準となる面は、前記壁が下方に臨む面であることを特徴とする請求項３記載のバッテリー。
【請求項５】
前記壁の延在方向の中間部に切り欠きが設けられていることを特徴とする請求項１記載のバッテリー。
【請求項６】
厚さ方向の両端に位置する上面および下面と、前記厚さよりも大きい寸法の幅方向の両端に位置する左右の側面と、前記厚さよりも大きい寸法の前後方向の両端に位置する前面および後面とを有する扁平な矩形板状のケースと、
前記ケースの内部に収容された電池セルと、
前記ケースに設けられたコネクタ部とを備え、
前記コネクタ部は前記ケースの前面に前方に突出して設けられ、
前記ケースの左右の側面の前記厚さ方向の中間部に、前記幅方向内方に窪みつつ前記長さ方向に延在する溝が設けられ、
前記コネクタ部の前記厚さ方向における位置は、前記溝を構成する互いに対向する一対の面のうちの一方の面を基準として決定されている、
ことを特徴とするバッテリー。
【請求項７】
前記コネクタ部の前記厚さ方向における位置の基準となる面は、前記溝を構成する互いに対向する一対の面のうち下方に臨む面であることを特徴とする請求項６記載のバッテリー。
【請求項８】
前記溝は、前記ケースの左右の側面の厚さ方向の中心に対して前記ケースの上面または下面寄りの箇所に設けられていることを特徴とする請求項６記載のバッテリー。
【請求項９】
前記コネクタ部は、前方および下方に開放された状態で前記幅方向に対向する一対の接片が前記幅方向に間隔をおいて複数並べられそれぞれ前記電池セルに接続された接片部を有していることを特徴とする請求項１または６記載のバッテリー。
【請求項１０】
前記コネクタ部は、前方および下方に開放された状態で前記幅方向に対向する一対の接片が前記幅方向に間隔をおいて複数並べられそれぞれ前記電池セルに接続された接片部を有し、前記コネクタ部には、前記ケースに組み込まれた端子構成用部材が配置され、前記端子構成用部材は、前記幅方向に間隔をおいて前後方向に延在し前方および下方に開放された複数の溝を有し、前記一対の接片は前記幅方向において互いに対向する前記各溝の側面を構成するように配置されていることを特徴とする請求項１または６記載のバッテリー。
【請求項１１】
ケースの前面にコネクタ部が突設されたバッテリーが装着されるバッテリー装着部を有する電子機器であって、
前記バッテリー装着部は、前記バッテリーが挿入されるバッテリー収容室と、前記バッテリーが挿入される方向における前記バッテリー収容室の奥部に設けられ前記バッテリーのコネクタ部が装着される電子機器側コネクタ部とを備え、
前記バッテリー収容室は、上面、下面、左右の側面を有し前記バッテリーのケースが収容されるケース収容室と、前記ケース収容室に接続され前記バッテリーのコネクタ部が収容されるコネクタ部収容室とを備え、
前記ケース収容室の前記左右の側面には、前記ケース収容室内における前記バッテリーの上下方向の位置決めを行うための溝が前記挿入される方向に沿って延在形成され、
前記コネクタ部収容室に前記電子機器側コネクタ部が配置され、
前記電子機器側コネクタ部は、前記ケース収容室の下面よりも前記ケース収容室の上面寄りに変位した箇所に設けられている、
ことを特徴とする電子機器。
【請求項１２】
前記バッテリーの部分が前記溝に係合され、前記コネクタ部が前記電子機器側コネクタ部に接続されて前記ケースが前記ケース収容室に収容された状態で、前記ケースの上面と前記ケース収容室の上面とは近接することを特徴とする請求項１１記載の電子機器。
【請求項１３】
ケースの前面にコネクタ部が突設されたバッテリーが装着されるバッテリー装着部を有する電子機器であって、
前記バッテリー装着部は、前記バッテリーが挿入されるバッテリー収容室と、前記バッテリーが挿入される方向における前記バッテリー収容室の奥部に設けられ前記バッテリーのコネクタ部が装着される電子機器側コネクタ部とを備え、
前記バッテリー収容室は、上面、下面、左右の側面を有し前記バッテリーのケースが収容されるケース収容室と、前記ケース収容室に接続され前記バッテリーのコネクタ部が収容されるコネクタ部収容室とを備え、
前記ケース収容室の前記左右の側面には、前記ケース収容室内における前記バッテリーの上下方向の位置決めを行うための壁が突出しつつ前記挿入される方向に沿って延在形成され、
前記コネクタ部収容室に前記電子機器側コネクタ部が配置され、
前記電子機器側コネクタ部は、前記ケース収容室の下面よりも前記ケース収容室の上面寄りに変位した箇所に設けられている、
ことを特徴とする電子機器。
【請求項１４】
前記バッテリーの部分が前記壁に係合され、前記コネクタ部が前記電子機器側コネクタ部に接続されて前記ケースが前記ケース収容室に収容された状態で、前記ケースの上面と前記ケース収容室の上面とは近接することを特徴とする請求項１３記載の電子機器。
【請求項１５】
前記コネクタ部収容室は上方を向いた下面を有し、前記下面上に前記電子機器側コネクタ部が配置され、前記コネクタ部収容室の下面は、前記ケース収容室の下面よりも前記ケース収容室の上面寄りに変位した箇所に設けられていることを特徴とする請求項１１または１３記載の電子機器。
【請求項１６】
前記コネクタ部収容室は、上方を向いた下面と、前記ケース収容室方向に臨む奥面を有し、前記電子機器側コネクタ部は、前記コネクタ部収容室の下面と奥面に支持され前記ケース収容室の左右の側面を接続する方向に間隔をおいて並べられた複数の接片を備えていることを特徴とする請求項１１または１３記載の電子機器。
【請求項１７】
扁平な矩形板状のケースと、前記ケースの左右の側面から突出しつつ前後方向に延在する載置壁とを有し、前記ケースの前面にコネクタ部が突設されたバッテリーが装着される電子機器であって、
前記電子機器に前記バッテリーが装着されるバッテリー装着部が設けられ、
前記バッテリー装着部は、バッテリー収容室と蓋体と電子機器側コネクタ部と係止手段とを備え、
前記バッテリー収容室は、前記ケースが収容される大きさの下面と左右の側面を有し上方が開放されたケース収容室と、前記ケース収容室の前記左右の側面に前後方向に沿って延在形成され前記バッテリーの載置壁が載置される上方を向いた載置面と、前記ケース収容室に接続され前記コネクタ部を収容するコネクタ部収容室とを備え、
前記コネクタ部収容室に前記電子機器側コネクタ部が配置され、
前記蓋体は、前記載置壁が前記載置面に載置されて前記ケース収容室およびコネクタ部収容室に配設されたバッテリーを前記ケース収容室と協働して覆うように形成され、
前記係止手段は、前記ケース収容室に配設されたバッテリーの載置壁を前記載置面に押し付けると共に、前記コネクタ部を前記電子機器側コネクタ部に装着する方向に付勢するように形成され、
前記電子機器側コネクタ部は、前記ケース収容室の下面よりも上方に変位した箇所に設けられている、
ことを特徴とする電子機器。
【請求項１８】
前記ケースの載置壁が前記載置面に載置され、前記コネクタ部が前記電子機器側コネクタ部に接続され、前記蓋体で前記ケース収容室およびコネクタ部収容室に配設されたバッテリーを前記ケース収容室と協働して覆った状態で、前記ケースの上面と、前記上面に対向する前記蓋体の面とは近接することを特徴とする請求項１７記載の電子機器。
【請求項１９】
前記コネクタ部収容室は上方を向いた下面を有し、前記下面上に前記電子機器側コネクタ部が配置され、前記コネクタ部収容室の下面は、前記ケース収容室の下面よりも前記ケース収容室の上面寄りに変位した箇所に設けられていることを特徴とする請求項１７記載の電子機器。
【請求項２０】
前記コネクタ部収容室は、上方を向いた下面と、前記ケース収容室方向に臨む奥面を有し、前記電子機器側コネクタ部は、前記コネクタ部収容室の下面と奥面に支持され前記コネクタ部が装着可能な複数の接片を備えていることを特徴とする請求項１７記載の電子機器。
【発明の詳細な説明】
【技術分野】
【０００１】
本発明はバッテリーおよびバッテリーが装脱可能に装着される電子機器に関する。
【背景技術】
【０００２】
電子機器に装着されるバッテリーとして、ケースと、ケースの内部に収容された電池セルと、ケースに設けられたコネクタ部とを備え、電子機器のバッテリー収容室に装着されることで前記バッテリー側のコネクタ部が前記バッテリー収容室の電子機器側のコネクタ部に接続されるように構成されたものが提供されている（例えば特許文献１参照）。
このようなバッテリーのコネクタ部には、電池セルに接続された複数の接片がケースの下面に臨む箇所に設けられ、電子機器のコネクタ部にはバッテリーの各接片に接触可能な複数の接片がバッテリー収容室の底面に設けられ、バッテリーの底面をバッテリー収容室の底面上に載置することでバッテリー側のコネクタ部の各接片と電子機器側のコネクタ部の各接片とが接続される。
【特許文献１】特開平９−２６６０１５号公報
【発明の開示】
【発明が解決しようとする課題】
【０００３】
このような電子機器においては、電子機器のコネクタの各接片がバッテリー収容室の底面に支持される関係上、各接片を支持する部分がケース収容室の底面よりも下方に突出せざるを得ず、各接片がケース収容室の底面の下方に突出するスペースをバッテリー収容室として確保しなくてならないことから、バッテリー収容室の厚さ方向の寸法を削減する上で限界があった。
近年、電子機器の薄型化、小型化を図るため、扁平な矩形板状を呈するバッテリーを電子機器のバッテリー収容室に収容する構成が採用されることが多くなっているが、このような場合、バッテリー収容室の厚さ方向の寸法を如何に削減するかが、バッテリー収容室の薄型化、ひいては、電子機器の小型化を図る上で重要となる。
本発明はこのような事情に鑑みなされたものであり、その目的は、電子機器のバッテリー収容室の薄型化を実現する上で有利なバッテリーおよび電子機器を提供することにある。
【課題を解決するための手段】
【０００４】
上述の目的を達成するため、本発明のバッテリーは、厚さ方向の両端に位置する上面および下面と、前記厚さよりも大きい寸法の幅方向の両端に位置する左右の側面と、前記厚さよりも大きい寸法の前後方向の両端に位置する前面および後面とを有する扁平な矩形板状のケースと、前記ケースの内部に収容された電池セルと、前記ケースに設けられたコネクタ部とを備え、前記コネクタ部は前記ケースの前面に前方に突出して設けられ、前記ケースの左右の側面の前記厚さ方向の中間部に、前記幅方向外方に突出しつつ前記長さ方向に延在する壁が設けられ、前記コネクタ部の前記厚さ方向における位置は、前記壁が上方または下方に臨む面を基準として決定されていることを特徴とする。
また、本発明のバッテリーは、厚さ方向の両端に位置する上面および下面と、前記厚さよりも大きい寸法の幅方向の両端に位置する左右の側面と、前記厚さよりも大きい寸法の前後方向の両端に位置する前面および後面とを有する扁平な矩形板状のケースと、前記ケースの内部に収容された電池セルと、前記ケースに設けられたコネクタ部とを備え、前記コネクタ部は前記ケースの前面に前方に突出して設けられ、前記ケースの左右の側面の前記厚さ方向の中間部に、前記幅方向内方に窪みつつ前記長さ方向に延在する溝が設けられ、前記コネクタ部の前記厚さ方向における位置は、前記溝を構成する互いに対向する一対の面のうちの一方の面を基準として決定されていることを特徴とする。
また、本発明は、ケースの前面にコネクタ部が突設されたバッテリーが装着されるバッテリー装着部を有する電子機器であって、前記バッテリー装着部は、前記バッテリーが挿入されるバッテリー収容室と、前記バッテリーが挿入される方向における前記バッテリー収容室の奥部に設けられ前記バッテリーのコネクタ部が装着される電子機器側コネクタ部とを備え、前記バッテリー収容室は、上面、下面、左右の側面を有し前記バッテリーのケースが収容されるケース収容室と、前記ケース収容室に接続され前記バッテリーのコネクタ部が収容されるコネクタ部収容室とを備え、前記ケース収容室の前記左右の側面には、前記ケース収容室内における前記バッテリーの上下方向の位置決めを行うための溝が前記挿入される方向に沿って延在形成され、前記コネクタ部収容室に前記電子機器側コネクタ部が配置され、前記電子機器側コネクタ部は、前記ケース収容室の下面よりも前記ケース収容室の上面寄りに変位した箇所に設けられていることを特徴とする。
また、本発明は、ケースの前面にコネクタ部が突設されたバッテリーが装着されるバッテリー装着部を有する電子機器であって、前記バッテリー装着部は、前記バッテリーが挿入されるバッテリー収容室と、前記バッテリーが挿入される方向における前記バッテリー収容室の奥部に設けられ前記バッテリーのコネクタ部が装着される電子機器側コネクタ部とを備え、前記バッテリー収容室は、上面、下面、左右の側面を有し前記バッテリーのケースが収容されるケース収容室と、前記ケース収容室に接続され前記バッテリーのコネクタ部が収容されるコネクタ部収容室とを備え、前記ケース収容室の前記左右の側面には、前記ケース収容室内における前記バッテリーの上下方向の位置決めを行うための壁が突出しつつ前記挿入される方向に沿って延在形成され、前記コネクタ部収容室に前記電子機器側コネクタ部が配置され、前記電子機器側コネクタ部は、前記ケース収容室の下面よりも前記ケース収容室の上面寄りに変位した箇所に設けられていることを特徴とする。
また、本発明は、扁平な矩形板状のケースと、前記ケースの左右の側面から突出しつつ前後方向に延在する載置壁とを有し、前記ケースの前面にコネクタ部が突設されたバッテリーが装着される電子機器であって、前記電子機器に前記バッテリーが装着されるバッテリー装着部が設けられ、前記バッテリー装着部は、バッテリー収容室と蓋体と電子機器側コネクタ部と係止手段とを備え、前記バッテリー収容室は、前記ケースが収容される大きさの下面と左右の側面を有し上方が開放されたケース収容室と、前記ケース収容室の前記左右の側面に前後方向に沿って延在形成され前記バッテリーの載置壁が載置される上方を向いた載置面と、前記ケース収容室に接続され前記コネクタ部を収容するコネクタ部収容室とを備え、前記コネクタ部収容室に前記電子機器側コネクタ部が配置され、前記蓋体は、前記載置壁が前記載置面に載置されて前記ケース収容室およびコネクタ部収容室に配設されたバッテリーを前記ケース収容室と協働して覆うように形成され、前記係止手段は、前記ケース収容室に配設されたバッテリーの載置壁を前記載置面に押し付けると共に、前記コネクタ部を前記電子機器側コネクタ部に装着する方向に付勢するように形成され、前記電子機器側コネクタ部は、前記ケース収容室の下面よりも上方に変位した箇所に設けられていることを特徴とする。
【発明の効果】
【０００５】
本発明のバッテリーによれば、厚さの小さいバッテリーでは、コネクタ部の下面とケースの下面とを同一面上とし、ケースの下面をケース収容室の下面から離した状態でバッテリーを収容できる。
すなわち、バッテリー収容室において、電子機器側コネクタ部をケース収容室の下面よりも上方に変位させた箇所に設けることができる。
これにより、電子機器側コネクタの各接片がコネクタ部収容室の下面に支持されている部分が、ケース収容室の下面よりも下方に突出せず、バッテリー収容室の上下方向の寸法を抑制する上で有利となる。
また、本発明の電子機器によれば、電子機器側コネクタの各接片がコネクタ部収容室の下面に支持されている部分をケース収容室の下面よりも上方の箇所に位置させることができ、これにより、電子機器側コネクタ部は、ケース収容室の下面よりも下方に突出せず、バッテリー収容室の上下方向の寸法を抑制する上で有利となる。
【発明を実施するための最良の形態】
【０００６】
バッテリーのケースの左右の側面の厚さ方向の中間部に、幅方向外方に突出しつつ長さ方向に延在する壁または溝を設け、コネクタ部の厚さ方向における位置を左右の側面の壁または溝が上方または下方に臨む面を基準として決定することによって上記目的を実現した。
また、電子機器のケース収容室の左右の側面に、前記ケース収容室内における前記バッテリーの上下方向の位置決めを行うための溝または壁を設け、前記電子機器側コネクタ部を、前記ケース収容室の下面よりも前記ケース収容室の上面寄りに変位した箇所に設けることによって上記目的を実現した。
【実施例１】
【０００７】
次に本発明の実施例１について図面を参照して説明する。
図１は実施例１で用いる第１のバッテリー２の斜視図、図２（Ａ）は第１のバッテリー２の平面図、（Ｂ）は（Ａ）のＢ矢視図、（Ｃ）は（Ａ）のＣ矢視図、（Ｄ）は（Ａ）のＤ矢視図、図３（Ｅ）は図２（Ｄ）のＥ矢視図、（Ｆ）は（Ｅ）のＦ矢視図である。
図４（Ａ）は第１のバッテリー２を前方から見た正面図、（Ｂ）は（Ａ）のＢ矢視図、（Ｃ）は（Ａ）のＣ矢視図である。
図５は第１のバッテリー２の斜視図である。
図６（Ａ）は実施例１における第２のバッテリー４を前方から見た正面図、（Ｂ）は（Ａ）のＢ矢視図、（Ｃ）は（Ａ）のＣ矢視図である。
図７は第２のバッテリー４の斜視図である。
なお、添付図面中、円筒面や曲面、傾斜面を表すために、部材や部分の表面に複数の直線や曲線を描いた図面も存在している。
【０００８】
図１〜図５に示すように、第１のバッテリー２は電源が小容量のものであり、ケース１０と、ケース１０の内部に収容された不図示の電池セルと、ケース１０に設けられたコネクタ部３０とを備えている。
ケース１０は、厚さ方向の両端に位置する上面１０Ｃおよび下面１０Ｄと、前記厚さよりも大きい寸法の幅方向の両端に位置する左右の側面１０Ｅと、前記幅よりも大きい寸法の前後方向の両端に位置する前面１０Ａおよび後面１０Ｂとを有する扁平な矩形板状に形成されている。なお、説明の便宜上、ケース１０の左右方向はケース１０の前方から見た状態でいうものとする。
２つの側面１０Ｅには、幅方向外方に突出しつつ長さ方向に延在する係合壁１００２が設けられ、係合壁１００２は、側面１０Ｅの厚さ方向の中心部に対して上面１０Ｃまたは下面１０Ｄ寄りの各側面１０Ｅ箇所に設けられ、本実施例では、上面１０Ｃ寄りの箇所に設けられている。なお、この係合壁１００２は本実施例では特許請求の範囲の壁に相当している。
係合壁１００２の延在方向の中間部には抜け止め用の切り欠き１００４が形成され、本実施例では切り欠き１００４は、係合壁１００２の前面１０Ａ寄りの箇所に形成されている。
また、２つの側面１０Ｅの後面１０Ｂ寄りの箇所にストッパ壁１００６が膨出形成されている。このストッパ壁１００６は係合壁１００２に接続され、バッテリーの後面１０Ｂを撮像装置１００のバッテリー収容室１５１に挿入できないようにしたものであり、いわゆる逆挿防止用の壁である。
【０００９】
コネクタ部３０は、ケース１０の前面１０Ａに前方に突出して設けられ、本実施例ではコネクタ部３０は、前面１０Ａの幅方向の右側の端部寄りの箇所に幅方向に延在するように設けられている。
前面１０Ａの厚さ方向におけるコネクタ部３０の位置は、左右の側面１０Ｅの係合壁１００２が上面１０Ｃまたは下面１０Ｄに臨む面を基準として決定されており、本実施例では、コネクタ部３０の厚さ方向における位置の基準となる面は、係合壁１００２が下面１０Ｄに臨む面１００２Ａである。
図４に示すように、コネクタ部３０は、前面１０Ａから長さ方向に膨出されたコネクタ壁部３２と、前記電池セルに接続された接片部３３（図１３)とを有している。
コネクタ壁部３２はコネクタ部３０を補強するもので、コネクタ壁部３２は、幅方向に間隔をおき厚さ方向に延在する一対の縦壁３２０２と、上面１０Ｃ寄りの箇所で幅方向に延在し一対の縦壁３２０２の厚さ方向の端部間を接続する横壁３２０４を有している。
一対の縦壁３２０２と横壁３２０４により長さ方向に（前方に）開放状でかつ厚さ方向の両端の面のうちの他方の面に（下方に）開放状の空間３２０６が形成されている。
図５、図１３に示すように、開放状の空間３２０６には合成樹脂などの絶縁材料からなる端子構成用部材３６が配置されている。
端子構成用部材３６は、幅方向に間隔をおき長さ方向に（前方に）開放状で厚さ方向に延在する複数の溝３６０２を有し、複数の溝３６０２は、下面１０Ｄに開放状に形成されている。
接片部３３は、前方および下方に開放された状態で前記幅方向に対向する一対の接片３４が前記幅方向に間隔をおいて複数並べられて構成され、本実施例では、複数の接片３４は、一対の縦壁３２０２の間に幅方向に間隔をおいて設けられ、本実施例では、幅方向において互いに対向する各溝３６０２の側面を構成するように配置されている。
本実施例では、コネクタ部３０の下面３０２２とケース１０の下面１０Ｄは同一面上に位置している。
【００１０】
次に、第２のバッテリー４について説明する。
図６、図７に示すように、第２のバッテリー４は電源が大容量のものであり、第２のバッテリー４が第１のバッテリー２と異なるのは、バッテリーの厚さ方向の寸法およびバッテリーの上面１０Ｃまたは下面１０Ｄを基準としたバッテリーの厚さ方向におけるコネクタ部３０の位置であり、その他の構成は第１のバッテリー２と同様である。
図６、図７に示すように、第１のバッテリー２のバッテリーケース１０と、第２のバッテリー４のバッテリーケース１０とは、幅と長さが等しく形成され、かつ、厚さが第１のバッテリー２のバッテリーケース１０よりも第２のバッテリー４のバッテリーケース１０が大きく形成されている。
第２のバッテリー４に設けられたコネクタ部３０と第１のバッテリー２に設けられたコネクタ部３０は、同一の形状、構造で形成されている。
第１のバッテリー２と同様に、２つの側面１０Ｅには、幅方向外方に突出しつつ長さ方向に延在する係合壁１００２が設けられ、係合壁１００２は、側面１０Ｅの厚さ方向の中心部に対して上面１０Ｃまたは下面１０Ｄ寄りの各側面１０Ｅ箇所に設けられ、本実施例では、上面１０Ｃ寄りの箇所に設けられている。
第２のバッテリー４のコネクタ部３０の厚さ方向における位置は、第１のバッテリー２と同様に、左右の側面１０Ｅの係合壁１００２が上面１０Ｃまたは下面１０Ｄに臨む面を基準として第１のバッテリー２と同一の寸法で決定されており、本実施例では、コネクタ部３０の厚さ方向における位置の基準となる面は、係合壁１００２が下面１０Ｄに臨む面１００２Ａである。
したがって、第１、第２のバッテリー２，４のコネクタ部３０は、係合壁１００２からの高さは同一であるものの、図１３、図１５に示すように、第１のバッテリー２では、コネクタ部３０の下面３０２２がケース１０の下面１０Ｄと同一面上に位置しているのに対し、第２のバッテリー４では、コネクタ部３０の下面３０２２がケース１０の下面１０Ｄよりも上方の箇所に位置している。
【００１１】
次に、第１、第２のバッテリー２，４が装着される電子機器について説明する。
本実施例では電子機器がデジタルビデオカメラなどの撮像装置である場合について説明する。
図８は撮像装置１００の斜視図、図９は撮像装置１００の制御系を示すブロック図、図１０（Ａ）は撮像装置１００における電子機器側コネクタ部５０の正面図、（Ｂ）は（Ａ）のＢ矢視図、（Ｃ）は（Ａ）のＣ矢視図である。
図１１は第１のバッテリー２とバッテリー装着部１５０を示す斜視図、図１２は第１のバッテリー２がバッテリー装着部１５０に装着された状態を示す説明図、図１３（Ａ）、（Ｂ）は第１のバッテリー２のコネクタ部３０と撮像装置１００の電子機器側コネクタ部５０の説明図である。
図１５は第２のバッテリー４がバッテリー装着部１５０に装着された状態を示す説明図、図１５（Ａ）、（Ｂ）は第２のバッテリー４のコネクタ部３０と撮像装置１００の電子機器側コネクタ部５０の説明図である。
【００１２】
図９に示すように、撮像装置１００は、外装を構成する本体ケース１０２を有し、本体ケース１０２は、上下方向の高さと、高さよりも短い寸法の前後方向の長さと、長さよりも短い寸法の左右方向の幅とを有している。なお、本明細書において本体ケース１０２の左右は本体ケース１０２を前方（被写体側）から見た状態でいうものとする。
本体ケース１０２の上部には鏡筒１０４が組み込まれ、鏡筒１０４の後部に撮像素子１０６（図９）が組み込まれるとともに、鏡筒１０４には被写体像を撮像素子１０６に導く光学系１０８が組み込まれている。
光学系１０８は、ズームレンズやフォーカスレンズ、対物レンズなどを含んだ複数の光学部材で構成されている。
【００１３】
本体ケース１０２は前方に臨む前壁１０２Ａ、後方に臨む後壁１０２Ｂ、上方に臨む上壁１０２Ｃ、下方に臨む１０２Ｄ、左側方に臨む左側壁１０２Ｅ、右側方に臨む右側壁を有している。
本体ケース１０２の後壁１０２Ｂの上部には、撮影中の画像を視認するためのビューファインダー１１０が設けられている。
ビューファインダー１１０下方の後壁１０２Ｂ箇所には、動画撮影の開始／停止スイッチ１１２などが設けられている。
本体ケース１０２の上壁１０２Ｃ後部寄りには光学系１０８のズーム操作を行うためのズームスイッチ１１４などの撮影にまつわる操作スイッチを含む操作スイッチ１１５（図９）が配置されている。
本体ケース１０２の右壁には、静止画および動画などの画像や文字や記号などが表示される表示パネル１６４（図９）、画像情報および音声情報を記録する磁気テープカセットあるいは光ディスクあるいはメモリカードなどの記録媒体１６０（図９）が装脱される媒体収容部（不図示）が設けられている。
本体ケース１０２には、第１のバッテリー２を装脱可能に収容するバッテリー装着部１５０が設けられている。
【００１４】
バッテリー装着部１５０は、バッテリー収容室１５１と、電子機器側コネクタ部５０（図１０）とを備えている。
バッテリー収容室１５１はその開口１５２から第１のバッテリー２がその長さ方向（前後方向）に挿入され、開口１５２には開閉蓋１５４が揺動可能に設けられ、開口１５２を閉塞した状態で前方に臨む開閉蓋１５４部分によって前壁１０２Ａが構成されている。
図１３、図１５に示すように、電子機器側コネクタ部５０は、バッテリー収容室１５１の奥部に、第１、第２のバッテリー２，４のコネクタ部３０に装着可能に設けられている。
バッテリー収容室１５１は、第１、第２のバッテリー２，４のケース１０を収容するケース収容室１５１Ａと、ケース収容室１５１Ａの奥部に設けられ、第１のバッテリー２のコネクタ部３０を収容するコネクタ部収容室１５１Ｂを有している。
図１２、図１４に示すように、ケース収容室１５１Ａは、第１、第２のバッテリー２，４のケース１０の上面１０Ｃ、下面１０Ｄ、左右の側面１０Ｅに臨む上面５２０２、下面５２０４、左右の側面５２０６を有している。
本実施例では、ケース収容室１５１Ａの上面５２０２は、撮像装置１００の本体ケース１０２を構成する壁部１０３の内面（壁面）で構成されている。
【００１５】
図１３、図１５に示すように、コネクタ部収容室１５１Ｂは、ケース収容室１５１Ａに接続され第１、第２のバッテリー２，４のコネクタ部３０の前方を向いた前面３０２０に臨む奥面５２０８と、コネクタ部３０の下方を向いた下面３０２２に臨む下面５２１０とを有している。
コネクタ部収容室１５１Ｂの下面５２１０は、ケース収容室１５１Ａの下面５２０４よりもケース収容室１５１Ａの上面５２０２寄りに変位した箇所に設けられている。
図１１、図１２、図１４に示すように、ケース収容室１５１Ａの左右の側面５２０６には、第１、第２のバッテリー２，４が挿入される方向に沿って延在し第１、第２のバッテリー２，４の左右の側面１０Ｅの係合壁１０２が係合可能な係合溝５４が設けられている。この係合溝５４は本実施例では特許請求の範囲の溝に相当し、ケース収容室１５１Ａ内におけるバッテリー２，４の上下方向の位置決めを行うためのものである。
係合溝５４は、側面５２０６の上下方向の中心部に対して上面５２０２または下面５２０４寄りの各側面５２０６箇所に設けられ、本実施例では、上面５２０２寄りの箇所に設けられ、係合溝５４を構成する互いに対向する一対の面のうち上方を向いた面が係合溝５４の上下方向の基準面として形成されている。
ケース収容室１５１Ａの係合溝５４にバッテリーの係合壁１０２が係合され、コネクタ部３０が電子機器側コネクタ部５０に接続されてケース１０がケース収容室１５１Ａに収容された状態で、ケース１０の上面１０Ｃと、上面１０Ｃに対向するケース収容室１５１Ａの上面５２０２（壁面）とが近接するように構成されている。
なお、係合溝５４には、バッテリー収容室１５１に第１、第２のバッテリー２，４が挿入されコネクタ部３０と電子機器側コネクタ部５０とが接触した状態で切り欠き１００４に係脱可能に係合し、第１、第２のバッテリー２，４の装着状態を安定させるための弾性変形可能な抜け止め用凸部（不図示）が設けられている。
【００１６】
図１０、図１３、図１５に示すように、電子機器側コネクタ部５０は、コネクタ部収容室１５１Ｂの奥面５２０８と下面５２１０に支持されケース収容室１５１Ａの左右の側面５２０６を接続する方向に間隔をおいて並べられた複数の接片６０を備え、複数の接片６０は第１、第２のバッテリー２，４のコネクタ部３０の複数の接片３４に接触可能である。
【００１７】
電子機器側コネクタ部５０は、撮像装置１００の電源回路１７２（図９）に接続されている。
図９に示すように、撮像装置１００、１００Ａは、撮像素子１０６から出力された撮像信号に対して所定のデータ処理を行って画像データを生成し、この画像データを記憶媒体１６０に記録する画像処理部１６２と、前記画像データを表示パネル１６４に表示させる表示処理部１６６と、撮影光学系１０８の撮影倍率を変化させるズーム駆動部１６８と、各操作スイッチ１１２、１１４、１１５の操作に基づき、画像処理部１６２、表示処理部１６６、ズーム駆動部１６８などを制御する制御部１７０と、電子機器側コネクタ部５０、５０Ａを介して第１のバッテリー２から供給された直流電源を画像処理部１６２、表示処理部１６６、ズーム駆動部１６８に供給する電源回路１７２などを備えている。
【００１８】
次に作用効果について説明する。
第１のバッテリー２を撮像装置１００に装着する際には、図１１に示すように、開閉蓋１５４を開放し、第１のバッテリー２のケース１０の上面１０Ｃ、下面１０Ｄ、左右の側面１０Ｅのそれぞれを撮像装置１００のケース収容室１５１Ａの上面５２０２、下面５２０４、左右の側面５２０６のそれぞれに臨ませ、第１のバッテリー２の係合壁１００２をバッテリー収容室１５１の係合溝５４に挿入して押し込む。
これにより、図１３（Ａ）、（Ｂ）に示すように、コネクタ部３０の接片３４と電子機器側コネクタ部５０の接片６０とが接触して電子機器側コネクタ部５０にコネクタ部３０が装着され、コネクタ部３０の前面３０２０がコネクタ部収容室１５１Ｂの奥面５２０８に近接され、コネクタ部３０の下面３０２２がコネクタ部収容室１５１Ｂの下面５２１０に臨む。
この状態で、図１２に示すように、第１のバッテリー２の上面１０Ｃは、ケース収容室１５１Ａの上面５２０２（壁面）と近接し、第１のバッテリー２の下面１０Ｄは、ケース収容室１５１Ａの下面５２０４との間に間隔をおいて位置する。
そして、係合壁１００２の切り欠き１００４に前記抜け止め用凸部が係合し、第１のバッテリー２の装着状態が安定して保持される。
次いで、開閉蓋１５４を閉塞する。
これにより、第１のバッテリー２からの直流電源が電源回路１７２を介して撮像装置１００の各部に供給される。
第１のバッテリー２を取り外す際には、開閉蓋１５４を開放し、第１のバッテリー２の後部を把持してバッテリー収容室１５１から抜去する。
【００１９】
一方、第２のバッテリー４を装着する場合について説明する。
第１のバッテリー２を装着する場合と同様に、開閉蓋１５４を開放し、第２のバッテリー４のケース１０の上面１０Ｃ、下面１０Ｄ、左右の側面１０Ｅのそれぞれを撮像装置１００のケース収容室１５１Ａの上面５２０２、下面５２０４、左右の側面５２０６のそれぞれに臨ませ、第２のバッテリー４の係合壁１００２をバッテリー収容室１５１の係合溝５４に挿入して押し込む。
これにより、図１５（Ａ）、（Ｂ）に示すように、コネクタ部３０の接片３４と電子機器側コネクタ部５０の接片６０とが接触して電子機器側コネクタ部５０にコネクタ部３０が装着され、コネクタ部３０の前面３０２０がコネクタ部収容室１５１Ｂの奥面５２０８に近接され、コネクタ部３０の下面３０２２がコネクタ部収容室１５１Ｂの下面５２１０に臨む。
この状態で、図１４に示すように、第２のバッテリー４の上面１０Ｃは、ケース収容室１５１Ａの上面５２０２（壁面）と近接し、第２のバッテリー４の下面１０Ｄは、ケース収容室１５１Ａの下面５２０４と近接する。
そして、係合壁１００２の切り欠き１００４に前記抜け止め用凸部が係合し、第２のバッテリー４の装着状態が安定して保持される。
次いで、開閉蓋１５４を閉塞する。
これにより、第１のバッテリー２からの直流電源が電源回路１７２を介して撮像装置１００の各部に供給される。
第２のバッテリー４を取り外す際には、開閉蓋１５４を開放し、第１のバッテリー２の後部を把持してバッテリー収容室１５１から抜去する。
【００２０】
本実施例のバッテリーによれば、コネクタ部３０の前記厚さ方向における位置が、左右の側面１０Ｅの係合壁１００２が上面１０Ｃまたは下面１０Ｄに臨む面を基準として決定されているので、厚さの小さい第１のバッテリー２では、コネクタ部３０の下面３０２２とケース１０の下面１０Ｄとを同一面上とし、図１３に示すように、ケース１０の下面１０Ｄをケース収容室１５１Ａの下面５２０４から離した状態でバッテリーを収容できる。
すなわち、バッテリー収容室１５１において、電子機器側コネクタ部５０をケース収容室１５１Ａの下面５２０４よりも上方に変位させた箇所に設けることができる。
これにより、電子機器側コネクタ５０の各接片６０がコネクタ部収容室１５１Ｂの下面５２１０に支持されている部分がケース収容室１５１Ａの下面５２０４よりも上方の箇所に位置しており、ケース収容室１５１Ａの下面５２０４よりも下方に突出しないため、ケース収容室１５１Ａを、厚みの大きな第２のバッテリー４が収容できる大きさで形成すれば良く、したがって、バッテリー収容室１５１の上下方向の寸法を抑制する上で有利となる。
また、本実施例では、係合壁１００２は、ケース１０の左右の側面１０Ｅの厚さ方向の中心部に対してケースの上面１０Ｃまたは下面１０Ｄ寄りの箇所に設けられているので、バッテリーを上下逆転させて挿入しようとしても係合壁１００２が係合溝５４に挿入されず、したがってバッテリーの上下逆転による誤挿入を防止することができる。
【００２１】
また、本実施例の撮像装置１００によれば、バッテリーの係合壁１００２をケース収容室１５１Ａの係合溝５４に係合させ上下方向に位置決めしつつバッテリーをバッテリー収容室１５１に挿入するようにし、コネクタ部収容室１５１Ｂの下面を、ケース収容室１５１Ａの下面５２０４よりもケース収容室１５１Ａの上面５２０２寄りに変位した箇所に設けたので、電子機器側コネクタ５０の各接片６０がコネクタ部収容室１５１Ｂの下面５２１０に支持されている部分をケース収容室１５１Ａの下面５２０４よりも上方の箇所に位置させることができ、これにより、電子機器側コネクタ部５０は、ケース収容室１５１Ａの下面５２０４よりも下方に突出せず、したがって、ケース収容室１５１Ａを、厚みの大きな第２のバッテリー４が収容できる大きさで形成すれば良く、バッテリー収容室１５１の上下方向の寸法を抑制する上で有利となる。
また、本実施例の撮像装置１００では、係合壁１００２が係合溝５４に係合され、コネクタ部３０が電子機器側コネクタ部５０に接続されてケース１０がケース収容室１５１Ａに収容された状態で、ケース１０の上面１０Ｃと、上面１０Ｃに対向するケース収容室１５１Ａの上面５２０２（壁面）とを近接するようにしたので、バッテリーのケース１０を撮像装置１００の本体ケース１０２を構成する壁部１０３の補強板として機能させることができ、撮像装置１００の本体ケース１０２を薄肉化し、小型化を図る上で有利となる。
【００２２】
なお、実施例１では、バッテリーのケース１０の左右の側面１０Ｅの厚さ方向の中間部に、幅方向外方に突出しつつ長さ方向に延在する係合壁１００２を設け、コネクタ部３０の厚さ方向における位置を、左右の側面１０Ｅの係合壁１００２が上面１０Ｃまたは下面１０Ｄに臨む面を基準として決定し、かつ、撮像装置１００のケース収容室１５１Ａの左右の側面５２０６に前記挿入される方向に沿って延在しバッテリーの係合壁１００２が係合可能な係合溝５４を設けた場合について説明したが、バッテリーのケース１０の左右の側面１０Ｅの厚さ方向の中間部に、幅方向内方に窪みつつ長さ方向に延在する溝を設け、コネクタ部３０の厚さ方向における位置を、前記各溝を構成する互いに対向する一対の面のうちの一方の面を基準として決定し、かつ、撮像装置１００のケース収容室１５１Ａの左右の側面５２０６に突出しつつ挿入される方向に沿って延在しバッテリーの左右の側面１０Ｅの溝に係合可能な壁を設けても実施例１と同様の作用効果を得ることができることはもちろんである。この場合には、コネクタ部３０の厚さ方向における位置の基準となる面は、前記溝を構成する互いに対向する一対の面のうち下方に臨む面となる。
【実施例２】
【００２３】
次に実施例２について説明する。なお、以下の説明では実施例１と同様な箇所、部材に同一の符号を付して説明する。
図１６は実施例２におけるバッテリーとバッテリー装着部１５０Ａの斜視図、図１７は第１のバッテリー２がバッテリー装着部１５０Ａに装着された状態を示す説明図、図１８は第２のバッテリー４がバッテリー装着部１５０Ａに装着された状態を示す説明図である。
【００２４】
実施例２は実施例１の変形例であり、実施例２が実施例１と異なるのは、バッテリー装着部１５０のケース収容室１５１Ａの構成であり、その他の構成は実施例１と同様である。
図１６、図１７、図１８に示すように、撮像装置１００のバッテリー装着部１５０は、バッテリー収容室１５１と蓋体１５５と電子機器側コネクタ部５０と係止手段とを備えている。
バッテリー収容室１５１は、ケース１０の下面１０Ｄ、左右の側面１０Ｅに臨む下面５２０４、左右の側面５２０６を有し上方が開放されたケース収容室１５１Ａと、ケース収容室１５１Ａの左右の側面５２０６に前後方向に沿って延在形成されバッテリーの係合壁１００２（特許請求の範囲の載置壁に相当）のバッテリーの下面１０Ｄに臨む面１００２Ａが載置される上方を向いた載置面１５６と、ケース収容室１５１Ａに接続されコネクタ部３０の前方を向いた前面３０２０に臨む奥面と、コネクタ部３０の下方を向いた下面３０２０に臨む下面とを有しコネクタ部３０を収容するコネクタ部収容室１５１Ｂとを備えている。
蓋体１５５は、係合壁１００２が載置面１５６に載置されてケース収容室１５１Ａに配設されたバッテリーをケース収容室１５１Ａと協働して覆うように形成されている。
【００２５】
前記係止手段は、バッテリー装着部１５０にバッテリーを安定した状態で装着させるものである。
前記係止手段は、ケース収容室１５１Ａに配設されたバッテリーの係合壁１００２を載置面１５６に押し付けると共に、コネクタ部３０を電子機器側コネクタ部５０に装着する方向に付勢するように形成され、例えば、係止手段は、その端部がバッテリー収容室１５１のケースに取着されることで配設され、あるいは、蓋体１５５およびバッテリー収容室１５１をなす壁部１５３に対して脱着可能に設けられ、このような係止手段の構成として従来公知の様々な構造が採用可能である。
コネクタ部収容室１５１Ｂの下面は、実施例１と同様に、ケース収容室１５１Ａの下面よりもケース収容室１５１Ａの上面寄りに変位した箇所に設けられている。
電子機器側コネクタ部５０は、実施例１と同様に、コネクタ部収容室１５１Ｂの前記奥面と前記下面に支持されケース収容室１５１Ａの左右の側面を接続する方向に間隔をおいて並べられコネクタ部３０が装着可能な複数の接片を備えている。
ケース１０の係合壁１００２が載置面１５６に載置され、コネクタ部３０が電子機器側コネクタ部５０に接続され、蓋体１５５でケース収容室１５１Ａに配設されたバッテリーをケース収容室１５１Ａと協働して覆った状態で、実施例１と同様にケース１０の上面１０Ｃと、上面１０Ｃに対向する蓋体１５５の面１５４Ａとは近接するように構成されている。
【００２６】
次に作用効果について説明する。
第１のバッテリー２を撮像装置１００に装着する際には、図１６に示すように、蓋体１５５を開放し、第１のバッテリー２のケース１０の前面１０Ａ側が下方に位置するように傾斜させた状態でケース収容室１５１Ａに挿入する。
そして、コネクタ部３０を電子機器側コネクタ部５０に装着するとともに、下面１０Ｄ、左右の側面１０Ｅのそれぞれを撮像装置１００のケース収容室１５１Ａの下面５２０４、左右の側面５２０６のそれぞれに臨ませ、第１のバッテリー２の係合壁１００２をバッテリー収容室１５１の載置面１５６に載置する。
そして、前記係止手段により第１のバッテリー２をバッテリー装着部１５０に安定した状態に維持し、蓋体１５５によりケース収容室１５１Ａに配設された第１のバッテリー２の上方を覆い、その状態で蓋体１５５を不図示の係合手段により蓋体１５５の閉塞状態を保持する。
【００２７】
これにより、実施例１で示した図１３（Ａ）、（Ｂ）と同様に、コネクタ部３０の接片３４と電子機器側コネクタ部５０の接片６０とが接触して電子機器側コネクタ部５０にコネクタ部３０が装着され、コネクタ部３０の前面３０２０がコネクタ部収容室１５１Ｂの奥面５２０８に近接され、コネクタ部３０の下面３０２２がコネクタ部収容室１５１Ｂの下面５２１０に臨む。
この状態で、図１７に示すように、第１のバッテリー２の上面１０Ｃは、蓋体１５５の面１５４Ａと近接し、第１のバッテリー２の下面１０Ｄは、ケース収容室１５１Ａの下面５２０４との間に間隔をおいて位置する。
これにより、第１のバッテリー２からの直流電源が電源回路１７２を介して撮像装置１００の各部に供給される。
第１のバッテリー２を取り外す際には、前記係合手段による蓋体１５５の係合を解除して蓋体１５５を開放し、前記係止手段による第１のバッテリー２の係止を解除した後、第１のバッテリー２の後部を把持してバッテリー収容室１５１から抜去する。
【００２８】
実施例２のバッテリーによれば、実施例１と同様に、コネクタ部３０の前記厚さ方向における位置が、左右の側面１０Ｅの係合壁１００２が上面１０Ｃまたは下面１０Ｄに臨む面を基準として決定されているので、厚さの小さい第１のバッテリー２では、コネクタ部３０の下面３０２２とケース１０の下面１０Ｄとを同一面上とし、図１７に示すように、ケース１０の下面１０Ｄをケース収容室１５１Ａの下面５２０４から離した状態でバッテリーを収容できる。
すなわち、バッテリー収容室１５１において、電子機器側コネクタ部５０をケース収容室１５１Ａの下面５２０４よりも上方に変位させた箇所に設けることができる。
これにより、電子機器側コネクタ５０の各接片６０がコネクタ部収容室１５１Ｂの下面５２１０に支持されている部分がケース収容室１５１Ａの下面５２０４よりも上方の箇所に位置しており、ケース収容室１５１Ａの下面５２０４よりも下方に突出しないため、ケース収容室１５１Ａを、厚みの大きな第２のバッテリー４が収容できる大きさで形成すれば良く、したがって、バッテリー収容室１５１の上下方向の寸法を抑制する上で有利となる。
【００２９】
また、実施例２の撮像装置１００によれば、バッテリーの係合壁１００２をケース収容室１５１Ａの載置面１５６に載置させつつバッテリーをバッテリー収容室１５１に収容するようにし、コネクタ部収容室１５１Ｂの下面を、ケース収容室１５１Ａの下面５２０４よりもケース収容室１５１Ａの上面５２０２寄りに変位した箇所に設けたので、電子機器側コネクタ５０の各接片６０がコネクタ部収容室１５１Ｂの下面５２１０に支持されている部分をケース収容室１５１Ａの下面５２０４よりも上方の箇所に位置させることができ、これにより、電子機器側コネクタ部５０は、ケース収容室１５１Ａの下面５２０４よりも下方に突出せず、したがって、ケース収容室１５１Ａを、厚みの大きな第２のバッテリー４が収容できる大きさで形成すれば良く、バッテリー収容室１５１の上下方向の寸法を抑制する上で有利となる。
また、実施例２の撮像装置１００では、係合壁１００２が載置面１５６に載置され、コネクタ部３０が電子機器側コネクタ部５０に接続されてケース１０がケース収容室１５１Ａに収容された状態で、ケース１０の上面１０Ｃと、上面１０Ｃに対向する蓋体１５５の面１５４Ａとを近接するようにしたので、バッテリーのケース１０を撮像装置１００の蓋体１５４の補強板として機能させることができ、撮像装置１００の本体ケース１０２を薄肉化し、小型化を図る上で有利となる。
【００３０】
なお、実施例では、電子機器が撮像装置であった場合について説明したが、電子機器は撮像装置に限定されるものではなく、例えば、照明装置、オーディオ装置、通信装置、あるいは、バッテリー充電装置などバッテリーが装着されるものであれば適用可能であることはもちろんである。
【図面の簡単な説明】
【００３１】
【図１】実施例１で用いる第１のバッテリー２の斜視図である。
【図２】（Ａ）は第１のバッテリー２の平面図、（Ｂ）は（Ａ）のＢ矢視図、（Ｃ）は（Ａ）のＣ矢視図、（Ｄ）は（Ａ）のＤ矢視図である。
【図３】（Ｅ）は図２（Ｄ）のＥ矢視図、（Ｆ）は（Ｅ）のＦ矢視図である。
【図４】（Ａ）は第１のバッテリー２を前方から見た正面図、（Ｂ）は（Ａ）のＢ矢視図、（Ｃ）は（Ａ）のＣ矢視図である。
【図５】第１のバッテリー２の斜視図である。
【図６】（Ａ）は実施例１における第２のバッテリー４を前方から見た正面図、（Ｂ）は（Ａ）のＢ矢視図、（Ｃ）は（Ａ）のＣ矢視図である。
【図７】第２のバッテリー４の斜視図である。
【図８】撮像装置１００の斜視図である。
【図９】撮像装置１００の制御系を示すブロック図である。
【図１０】（Ａ）は撮像装置１００における電子機器側コネクタ部５０の正面図、（Ｂ）は（Ａ）のＢ矢視図、（Ｃ）は（Ａ）のＣ矢視図である。
【図１１】第１のバッテリー２とバッテリー装着部１５０を示す斜視図である。
【図１２】第１のバッテリー２がバッテリー装着部１５０に装着された状態を示す説明図である。
【図１３】（Ａ）、（Ｂ）は第１のバッテリー２のコネクタ部３０と撮像装置１００の電子機器側コネクタ部５０の説明図である。
【図１４】図１４は第２のバッテリー４がバッテリー装着部１５０に装着された状態を示す説明図である。
【図１５】（Ａ）、（Ｂ）は第２のバッテリー４のコネクタ部３０と撮像装置１００の電子機器側コネクタ部５０の説明図である。
【図１６】実施例２におけるバッテリーとバッテリー装着部１５０Ａの斜視図である。
【図１７】第１のバッテリー２がバッテリー装着部１５０Ａに装着された状態を示す説明図である。
【図１８】第２のバッテリー４がバッテリー装着部１５０Ａに装着された状態を示す説明図である。
【符号の説明】
【００３２】
２……第１のバッテリー、４……第２のバッテリー、１０……ケース、１０Ｃ……上面、１０Ｄ……下面、１０Ｅ……左右の側面、３０……コネクタ部、３３……接片部、３４……接片、１００２……係合壁、５０……電子機器側コネクタ部、５２０２……上面、５２０４……下面、５２０６……左右の側面、５４……係合溝、６０……接片、１５１Ａ……ケース収容室、５２０８……奥と、５２１０……下面、１００……撮像装置、１５０……バッテリー装着部、１５１……バッテリー収容室、１５１Ａ……ケース収容室、１５１Ｂ……コネクタ部収容室。
【図１】
2006179217.tif 000003
【図２】
2006179217.tif 000004
【図３】
2006179217.tif 000005
【図４】
2006179217.tif 000006
【図５】
2006179217.tif 000007
【図６】
2006179217.tif 000008
【図７】
2006179217.tif 000009
【図８】
2006179217.tif 000010
【図９】
2006179217.tif 000011
【図１０】
2006179217.tif 000012
【図１１】
2006179217.tif 000013
【図１２】
2006179217.tif 000014
【図１３】
2006179217.tif 000015
【図１４】
2006179217.tif 000016
【図１５】
2006179217.tif 000017
【図１６】
2006179217.tif 000018
【図１７】
2006179217.tif 000019
【図１８】
2006179217.tif 000020
【手続補正書】
【提出日】平成18年3月20日(2006.3.20)
【手続補正１】
【補正対象書類名】明細書
【補正対象項目名】００１２
【補正方法】変更
【補正の内容】
【００１２】
図８に示すように、撮像装置１００は、外装を構成する本体ケース１０２を有し、本体ケース１０２は、上下方向の高さと、高さよりも長い寸法の前後方向の長さと、長さよりも短い寸法の左右方向の幅とを有している。なお、本明細書において本体ケース１０２の左右は本体ケース１０２を前方（被写体側）から見た状態でいうものとする。
本体ケース１０２の上部には鏡筒１０４が組み込まれ、鏡筒１０４の後部に撮像素子１０６（図９）が組み込まれるとともに、鏡筒１０４には被写体像を撮像素子１０６に導く光学系１０８が組み込まれている。
光学系１０８は、ズームレンズやフォーカスレンズ、対物レンズなどを含んだ複数の光学部材で構成されている。
【手続補正２】
【補正対象書類名】明細書
【補正対象項目名】００１５
【補正方法】変更
【補正の内容】
【００１５】
図１３、図１５に示すように、コネクタ部収容室１５１Ｂは、ケース収容室１５１Ａに接続され第１、第２のバッテリー２，４のコネクタ部３０の前方を向いた前面３０２０に臨む奥面５２０８と、コネクタ部３０の下方を向いた下面３０２２に臨む下面５２１０とを有している。
コネクタ部収容室１５１Ｂの下面５２１０は、ケース収容室１５１Ａの下面５２０４よりもケース収容室１５１Ａの上面５２０２寄りに変位した箇所に設けられている。
図１１、図１２、図１４に示すように、ケース収容室１５１Ａの左右の側面５２０６には、第１、第２のバッテリー２，４が挿入される方向に沿って延在し第１、第２のバッテリー２，４の左右の側面１０Ｅの係合壁１００２が係合可能な係合溝５４が設けられている。この係合溝５４は本実施例では特許請求の範囲の溝に相当し、ケース収容室１５１Ａ内におけるバッテリー２，４の上下方向の位置決めを行うためのものである。
係合溝５４は、側面５２０６の上下方向の中心部に対して上面５２０２または下面５２０４寄りの各側面５２０６箇所に設けられ、本実施例では、上面５２０２寄りの箇所に設けられ、係合溝５４を構成する互いに対向する一対の面のうち上方を向いた面が係合溝５４の上下方向の基準面として形成されている。
ケース収容室１５１Ａの係合溝５４にバッテリーの係合壁１００２が係合され、コネクタ部３０が電子機器側コネクタ部５０に接続されてケース１０がケース収容室１５１Ａに収容された状態で、ケース１０の上面１０Ｃと、上面１０Ｃに対向するケース収容室１５１Ａの上面５２０２（壁面）とが近接するように構成されている。
なお、係合溝５４には、バッテリー収容室１５１に第１、第２のバッテリー２，４が挿入されコネクタ部３０と電子機器側コネクタ部５０とが接触した状態で切り欠き１００４に係脱可能に係合し、第１、第２のバッテリー２，４の装着状態を安定させるための弾性変形可能な抜け止め用凸部（不図示）が設けられている。
【手続補正３】
【補正対象書類名】明細書
【補正対象項目名】００１９
【補正方法】変更
【補正の内容】
【００１９】
一方、第２のバッテリー４を装着する場合について説明する。
第１のバッテリー２を装着する場合と同様に、開閉蓋１５４を開放し、第２のバッテリー４のケース１０の上面１０Ｃ、下面１０Ｄ、左右の側面１０Ｅのそれぞれを撮像装置１００のケース収容室１５１Ａの上面５２０２、下面５２０４、左右の側面５２０６のそれぞれに臨ませ、第２のバッテリー４の係合壁１００２をバッテリー収容室１５１の係合溝５４に挿入して押し込む。
これにより、図１５（Ａ）、（Ｂ）に示すように、コネクタ部３０の接片３４と電子機器側コネクタ部５０の接片６０とが接触して電子機器側コネクタ部５０にコネクタ部３０が装着され、コネクタ部３０の前面３０２０がコネクタ部収容室１５１Ｂの奥面５２０８に近接され、コネクタ部３０の下面３０２２がコネクタ部収容室１５１Ｂの下面５２１０に臨む。
この状態で、図１４に示すように、第２のバッテリー４の上面１０Ｃは、ケース収容室１５１Ａの上面５２０２（壁面）と近接し、第２のバッテリー４の下面１０Ｄは、ケース収容室１５１Ａの下面５２０４と近接する。
そして、係合壁１００２の切り欠き１００４に前記抜け止め用凸部が係合し、第２のバッテリー４の装着状態が安定して保持される。
次いで、開閉蓋１５４を閉塞する。
これにより、第２のバッテリー４からの直流電源が電源回路１７２を介して撮像装置１００の各部に供給される。
第２のバッテリー４を取り外す際には、開閉蓋１５４を開放し、第２のバッテリー４の後部を把持してバッテリー収容室１５１から抜去する。
【手続補正４】
【補正対象書類名】明細書
【補正対象項目名】００２０
【補正方法】変更
【補正の内容】
【００２０】
本実施例のバッテリーによれば、コネクタ部３０の前記厚さ方向における位置が、左右の側面１０Ｅの係合壁１００２が上面１０Ｃまたは下面１０Ｄに臨む面を基準として決定されているので、厚さの小さい第１のバッテリー２では、コネクタ部３０の下面３０２２とケース１０の下面１０Ｄとを同一面上とし、図１３に示すように、ケース１０の下面１０Ｄをケース収容室１５１Ａの下面５２０４から離した状態でバッテリーを収容できる。
すなわち、バッテリー収容室１５１において、電子機器側コネクタ部３０をケース収容室１５１Ａの下面５２０４よりも上方に変位させた箇所に設けることができる。
これにより、電子機器側コネクタ５０の各接片６０がコネクタ部収容室１５１Ｂの下面５２１０に支持されている部分がケース収容室１５１Ａの下面５２０４よりも上方の箇所に位置しており、ケース収容室１５１Ａの下面５２０４よりも下方に突出しないため、ケース収容室１５１Ａを、厚みの大きな第２のバッテリー４が収容できる大きさで形成すれば良く、したがって、バッテリー収容室１５１の上下方向の寸法を抑制する上で有利となる。
また、本実施例では、係合壁１００２は、ケース１０の左右の側面１０Ｅの厚さ方向の中心部に対してケースの上面１０Ｃまたは下面１０Ｄ寄りの箇所に設けられているので、バッテリーを上下逆転させて挿入しようとしても係合壁１００２が係合溝５４に挿入されず、したがってバッテリーの上下逆転による誤挿入を防止することができる。
【手続補正５】
【補正対象書類名】明細書
【補正対象項目名】００２４
【補正方法】変更
【補正の内容】
【００２４】
実施例２は実施例１の変形例であり、実施例２が実施例１と異なるのは、バッテリー装着部１５０のケース収容室１５１Ａの構成であり、その他の構成は実施例１と同様である。
図１６、図１７、図１８に示すように、撮像装置１００のバッテリー装着部１５０は、バッテリー収容室１５１と蓋体１５５と電子機器側コネクタ部５０と係止手段とを備えている。
バッテリー収容室１５１は、ケース１０の下面１０Ｄ、左右の側面１０Ｅに臨む下面５２０４、左右の側面５２０６を有し上方が開放されたケース収容室１５１Ａと、ケース収容室１５１Ａの左右の側面５２０６に前後方向に沿って延在形成されバッテリーの係合壁１００２（特許請求の範囲の載置壁に相当）のバッテリーの下面１０Ｄに臨む面１００２Ａが載置される上方を向いた載置面１５６と、ケース収容室１５１Ａに接続されコネクタ部３０の前方を向いた前面３０２０に臨む奥面と、コネクタ部３０の下方を向いた下面３０２２に臨む下面とを有しコネクタ部３０を収容するコネクタ部収容室１５１Ｂとを備えている。
蓋体１５５は、係合壁１００２が載置面１５６に載置されてケース収容室１５１Ａに配設されたバッテリーをケース収容室１５１Ａと協働して覆うように形成されている。
【手続補正６】
【補正対象書類名】図面
【補正対象項目名】図８
【補正方法】変更
【補正の内容】
【図８】
2006179217.tif 000021
【手続補正７】
【補正対象書類名】図面
【補正対象項目名】図９
【補正方法】変更
【補正の内容】
【図９】
2006179217.tif 000022